(57)【要約】【課題】常に適量の薬液を確保でき、余剰の薬液が周囲を汚さず、薬液ボトルの交換を容易にし、薬液交換時の作業性もよくした手指消毒器を提供する。【解決手段】壁面に埋め込んで使用される自動式手指消毒器１であって、消毒器内に設置される容積１Ｌの市販薬液ボトル３の上部に連結されるソケット４、ソケット４を介して市販薬液ボトル３に挿入された軟質系管５、軟質系管５に薬液側と反対方向に接続されたダイヤフラムポンプ７および逆止弁８、ならびに逆止弁８に連結された多孔式ノズル２を備え、ダイヤフラムポンプ７の吸口レベルが前記薬液ボトルの薬液水面と同等以上になるようにし、多孔式ノズル２から自動で薬液を噴射されるようにした。【選択図】図１
0003140599.tif 000002
【実用新案登録請求の範囲】
【請求項１】
壁面に埋め込んで使用される自動式手指消毒器であって、消毒器内に設置される容積１Ｌの市販薬液ボトルの蓋に替えて連結されるソケット、該ソケットを介して前記市販薬液ボトルに挿入された軟質系管、該軟質系管に薬液側と反対方向に接続されたダイヤフラムポンプおよび逆止弁、ならびに該逆止弁に連結された多孔式ノズルを備え、ここで該ダイヤフラムポンプの吸口レベルが前記薬液ボトルの薬液水面と同等以上になるようにし、該多孔式ノズルから自動で薬液を噴射されるようにした壁面埋込型自動式手指消毒器。
【請求項２】
前記多孔式ノズルには、薬液を噴霧するための孔が同心円状に４個以上設けられていることを特徴とする、請求項１に記載の壁面埋込型自動式手指消毒器。
【請求項３】
前記多孔式ノズルの噴射角は、１５〜２５度であることを特徴とする、請求項１または２に記載の壁面埋込型自動式手指消毒器。
【請求項４】
前記多孔式ノズルの孔径は、０．３〜０．５ｍｍであることを特徴とする、請求項１〜３のいずれかに記載の壁面埋込型自動式手指消毒器。
【請求項５】
前記市販薬液ボトルの薬液の枯渇を知らせるために電子回路のカウントが目標回数に到達した時点で青から赤に自動で変わるランプを設けたことを特徴とする、請求項１〜４のいずれかに記載の壁面埋込型自動式手指消毒器。
【請求項６】
前記軟質系管のソケットより外方の露出部には、錆びないスプリングが管の周囲に巻くことによって管の屈曲が防止されることを特徴とする、請求項１〜５のいずれかに記載の壁面埋込型自動式手指消毒器。
【請求項７】
前記ダイヤフラムポンプは、小型で電圧２４ＤＣＶ、排出量３５０〜４５０ｍｌ／ｍｉｎ、最高圧力３００ｋＰａ以上のものであることを特徴とする、請求項１〜６のいずれかに記載の壁面埋込型自動式手指消毒器。
【請求項８】
前記多孔式ノズルの付近に手指検出センサーが設置され、前記手指検出センサーが手指の進入を感知して前記ダイヤフラムポンプを作動させるための電子回路を備えたことを特徴とする、請求項５〜７のいずれかに記載の壁面埋込型自動式手指消毒器。
【請求項９】
前記消毒器前面の手の進入を誘導するマークを表示した場所へ片手を入れると、前記手指検出センサーが感知し、前記電子回路を通じて前記ダイヤフラムポンプが作動するようになっていることを特徴とする、請求項８に記載の壁面埋込型自動式手指消毒器。
【請求項１０】
前記電子回路の切替ボタンスイッチで、薬液使用量を１．５〜２．５ｍｌ／回と２．５〜３．５ｍｌ／回の二種類が選択可能であることを特徴とする、請求項８または９に記載の壁面埋込型自動式手指消毒器。
【請求項１１】
前記引き出しを消毒器前面にスライドさせることにより、前記市販薬液ボトルを前方から取り出し可能であることを特徴とする、請求項１〜１０のいずれかに記載の壁面埋込型自動式手指消毒器。
【考案の詳細な説明】
【技術分野】
【０００１】
本考案は、自動式の手指消毒器に関し、より詳細には、病院、有床診療所などの各病室出入口近くに設置され、医療従事者や患者の院内感染を防ぐのに有効な手指消毒器に関する。
【背景技術】
【０００２】
病院、有床診療所などに設置される従来型の手指消毒器は、その多くが手摺りに取り付けるタイプや、壁に直に取り付けるタイプのものである。これらの操作は、ノズルを差し込まれた薬液ボトルの上部ボタンを下方に押し込み、そのポンプ作用で薬液を引き出す。このような手動式の消毒器には、人の操作によって薬液使用量にバラツキが生じ、適量が確保できない、そのため、適正な消毒ができないという問題がある。
【０００３】
従来の手動式手指消毒器の問題の解決するものとして、例えば特開２００３−２６５５８３（特許文献１）や特開２０００−６０７６４（特許文献２、図７）に示されるように乾電池式モーターとポンプによって薬液を噴霧する自動式手指消毒器が開発および市販されている。
【０００４】
しかし、従来の自動式手指消毒器のポンプは、排出量が約１００ｍｌ／ｍｉｎ、そして最高圧力１５０ｋＰａ以下である。このため、薬液が瞬時にでない、圧力が弱いため、霧の状態に大小斑ができる、使用時間も４秒程度かかるといった問題が生じている。特に、使用に４秒もかかると、激務の医療スタッフが使用する病院などには不向きである。
【０００５】
また、従来の自動式手指消毒器の噴霧角度は６０度位あった。これでは、薬液噴霧時に薬液が手からはみ出てしまって、薬液が無駄になる。使用場所の周囲を汚すことも多かった。これでも使用可能であった理由は、手指消毒器がもともと食品分野で生まれたことに起因している。すなわち、食品分野の厨房などは、設備や床を洗い流せるため、周囲を汚してもあまり問題が生じなかった。しかし、病院などでは、床に水気があると滑って安全性に問題があり、また、不潔な印象を与える。
【０００６】
また、従来の自動式手指消毒器は、噴射後にボタ落ちを生じ、薬液が無駄に消費されている。特に、長時間経過後には、受け皿が薬液で汚れ、機器によっては注入口付近に廃液タンクが用意されているものもあり、不潔感が否めない。
【０００７】
従来の自動式手指消毒器は、専用の薬液ボトル使用するものが多い。その場合、専用の薬液ボトルを逆さまにして受け皿方式で使用する。この方式では、専用の薬液ボトルに薬液を詰め替える際の作業性に劣る。さらに、薬液を補充する時に液が外気に露出するので、塵やバイ菌が入る危険性がある。塵はノズルの目詰まりの原因にもなる。また、専用の薬液ボトルの使用は、製品コストを上げる要因になっている。
【０００８】
従来の手動式および自動式の手指消毒器のさらに別の問題は、機器が壁から突出し、また、机上で設置スペースを大きく取るため、邪魔になっていることである。
【特許文献１】特開２００３−２６５５８３
【特許文献２】特開２０００−６０７６４
【考案の開示】
【考案が解決しようとする課題】
【０００９】
上記した従来機器の多種多様な問題点に鑑み、本考案の目的は、常に適量の薬液を確保でき、余剰の薬液が周囲を汚さず、薬液ボトルの交換を容易にし、薬液交換時の作業性もよくした手指消毒器を提供することにある。
【課題を解決するための手段】
【００１０】
本考案者は、上記課題を鋭意検討した結果、市場に流通する１Ｌ容薬液ボトルを使用し、さらに、交換方法や設置方法を簡素化することによって、上記課題を解決できることを見出した。すなわち、本考案は、壁面に埋め込んで使用される自動式手指消毒器であって、消毒器内に設置される容積１Ｌの市販薬液ボトルの蓋に替えて連結されるソケット、該ソケットを介して前記市販薬液ボトルに挿入された軟質系管、該軟質系管に薬液側と反対方向に接続されたダイヤフラムポンプおよび逆止弁、ならびに該逆止弁に連結された多孔式ノズルを備え、ここで該ダイヤフラムポンプの吸口レベルが前記薬液ボトルの薬液水面と同等以上になるようにし、該多孔式ノズルから自動で薬液を噴射されるようにした壁面埋込型自動式手指消毒器を提供する。
【００１１】
従来製品には、本考案のような各種メーカーによる市販の１Ｌ薬液ボルをカートリッジとして使用したものはなかった。しかも、本考案のように、薬液ボトルの上部から管とダイヤフラムポンプを通じてノズルまで導く方式の自動式手指消毒器は全く存在しなかった。
【００１２】
前記多孔式ノズルには、薬液を噴霧するための孔が同心円状に４個以上設けられることが好ましい。
【００１３】
前記多孔式ノズルの噴射角は、１５〜２５度である。
【００１４】
前記多孔式ノズルの孔径は、例えば０．３〜０．５ｍｍである。
【００１５】
前記市販薬液ボックスは、消毒器前面から引出し式に取り外し可能であることが好ましい。
【００１６】
前記市販薬液ボックスの薬液の枯渇を知らせるために電子回路のカウントが目標回数に到達した時点で青から赤に自動で変わるランプが設置されていることが好ましい。
【００１７】
前記軟質系管のソケットより外方の露出部には、錆びないスプリングが管の周囲に巻くことによって管が折れるのを防ぐことが好ましい。
【００１８】
前記ダイヤフラムポンプは、小型ポンプを使用し、電圧２４ＤＣＶ、排出量３５０〜４５０ｍｌ／ｍｉｎ、最高圧力３００ｋＰａ以上のものであることが好ましい。
【００１９】
本考案の手指消毒器は、前記多孔式ノズルの付近に手指検出センサーが設置され、前記センサーが手指の進入を感知して前記ダイヤフラムポンプを作動させるための電子回路を備えることが好ましい。
【００２０】
前記多孔式ノズルは、サインのあるマークに手指を入れると前記センサーが感知し、前記電子回路を通じて前記ダイヤフラムポンプが作動するようになっていることが好ましい。
【００２１】
前記ダイヤフラムポンプは、薬液を１．５〜２．５ｍｌ／回と２．５〜３．５ｍｌ／回の二種類を設定して切り替えが可能であることが好ましい。
【００２２】
前記引き出しを消毒器前面にスライドさせることにより、前記市販薬液ボトルを前方から取出し可能であることが好ましい。
【考案の効果】
【００２３】
病院は、医療従事者や患者の邪魔にならないよう常に機能的であることと、清潔に保てることが非常に重要である。従来のように、消毒器が露出した状態で設置されると、医療従事者や患者にとって非常に邪魔であった。一方、請求項１の考案によれば、壁面埋込式であるため、医療従事者や患者の邪魔にならない。特に、病棟の患者がリハビリ中に廊下の手摺りを使用しても、本考案の手指消毒器は全く邪魔にならない。本考案の消毒器は、設置場所を汚す心配が無くなり、美観にも優れる。各病室への出入口の壁面に自動手指消毒器を埋め込むためには、建築基準法・消防法に合致している必要があるが、本発明の考案は、そのような要望にも容易に応えることができる。
【００２４】
従来の消毒器は、消毒液の噴射後にノズルから液だれするという問題があった。本考案では、多孔式により各孔の径が小さくなるため、液の表面張力で液の落下を有効に防ぐ。さらに、ダイヤフラムポンプの吸口レベルが前記薬液ボトルの薬液水面と同等以上であれば、ボタ落ちがほとんど無いことが判明した。そして、ノズルの直上に設けた逆止弁が噴射直後の薬液の吸引現象を確実に防止する。本考案の噴霧装置では、上記三種の作用が重層的に働き、不使用時のノズルからの薬液のボタ落ちがほとんど無くなった。これは、薬液の節約になり、施設を汚さない病院に寄与する清潔さをもたらす。
【００２５】
本考案の手指消毒器において、使用して空になった市販薬液ボトルを、新しい市販の１Ｌ薬液ボトルへ取り替える作業としては、薬液ボトルの蓋を取り替えて管にスプリングを巻いたチューブのソケットを装着するだけでよい。空になったボトルは、回収して再利用に回すことができる。よって、本考案は、環境に優しい製品といえる。
【００２６】
請求項２の考案によれば、前記多孔式ノズルには、薬液を噴霧するための孔が同心円状に４個以上設けられる。この多孔方式により、瞬時の噴射が可能になり、これは激務の医療の現場に特にふさわしい。
【００２７】
従来のノズルは、少数（例えば１〜３個程度）の孔を用いた噴射であった。これでは、噴射角度（液の広がり確度）が６０度程度になり、手からはみ出て薬液の無駄になる。一方、請求項３の考案によれば、前記多孔式ノズルの噴射角が１５〜２５度に規定されたので、適量の薬液が瞬時に噴出して手からはみ出ることなく、密度の高い噴射を期待できる。その結果、薬液が周囲に飛び散らないので、薬液の無駄も生じない。
【００２８】
請求項４の考案によれば、前記多孔式ノズルの孔径は、例えば０．３〜０．５ｍｍであるので、噴霧粒子を細かくすることが容易となる。その結果、手にふんわりとした感触で噴霧が可能になる。各種薬液は、数分で完全に蒸発してしまうので、温風装置を設ける必要がなく、本考案は、製造コストを低く抑える。
【００２９】
請求項５によれば、薬液の枯渇を知らせるために電子回路のカウントが目標回数に到達した時点でランプが青から赤に自動で変わる。例えば、平常時の使用できる状態ではランプは青く点灯するが、市販薬液ボックスが空になると赤の点灯に変わる。これにより、薬液の補充時期を簡単明確に察知することができる。
【００３０】
従来の軟質系管は、市販薬液ボックスからの出し入れを繰り返す中で、管の折れ曲がりなどのトラブルが発生する。一方、請求項６の考案によれば、錆びない軟質系スプリングを巻くことによって、管が折れて薬液が流れなくなることが未然に防止される。
【００３１】
請求項７の考案によれば、電圧２４ＤＣＶが１００Ｖ家庭用電源からＤＣ変電（パワーサプライ）２４Ｖに変換して駆動するので、瞬時に薬液を出すにふさわしい性能を発揮する。瞬時に薬液が出ることは、激務の医療従事者にとって非常に満足度が高い機能である。
【００３２】
請求項８の考案によれば、前記手指検出センサーが手指の進入を感知して前記ダイヤフラムポンプを作動させるための電子回路を備えたので、使用者にスムーズな使用をもたらすとともに、薬液の無駄遣いを容易に防止することができる。
【００３３】
請求項９の考案によれば、前記消毒器前面の手の進入を誘導するマークを表示した場所へ片手を入れると、前記手指検出センサーが感知し、前記電子回路を通じて前記ダイヤフラムポンプが作動するようにしたので、使用者は、何の事前説明もなく容易に消毒器を使用して、その効果を体感することができる。
【００３４】
請求項１０の考案によれば、切替ボタンスイッチで薬液使用量を１．５〜２．５ｍｌ／回と２．５〜３．５ｍｌ／回の二種類が選択可能であるので、使用薬液の状態（必要量、濃度、粘度など）に応じて、最適な使用量を選択することができる。
【００３５】
請求項１１の考案によれば、前記市販薬液ボトルが消毒器前面から引出し式に取り外し可能であるので、薬液補充時の操作性が格段に向上する。
【考案を実施するための最良の形態】
【００３６】
以下に、本考案の実施の形態を、添付図面に基づいてより詳細に説明する。図１〜４は、本考案に従う手指消毒器を透視した図である。前述したように、従来、壁に一体式に埋込む自動式の手指消毒器は実在しなかった点で、本考案の消毒器は新規である。この自動式消毒器を壁に埋め込むためには、新たに建築基準法・消防法をクリヤーするという課題に遭遇する。廊下の場合は、主要な防火上の間仕切り壁に該当し１時間耐火に耐えられるという基準法に沿った対応が求められる。特に、防火上の間仕切り壁に値する耐火性を要求される。本考案では、鉄板（亜鉛引き）１．６ｍｍの鉄板を弁当箱のように加工した筐体を壁面内に埋め込んでから、本考案の消毒器を取り付けることで、法の遵守が容易である。消防法の適合のためには、鉄板筐体から露出する１００Ｖのコードなどを１時間以上耐火仕様の耐火シリコーンなどで被覆する。
【００３７】
本考案の手指消毒器１の外形寸法は、幅が通常２８０〜３５０ｍｍ、好ましくは３２０ｍｍ程度、高さが通常２５０〜３２０ｍｍ、好ましくは２８０ｍｍ程度、奥行きが通常８０〜１２０ｍｍ、好ましくは１００ｍｍ程度である。図１を見ると、前面に手を差し込める開口部が設けられている。開口部の寸法は、幅が１５０〜２００ｍｍ、高さ１００〜１６０ｍｍ、奥行き９５〜１１５ｍｍが適当である。消毒器１の筐体は、例えば上部２ケ所と下部２ケ所にビス止めすることで壁面に固定される。
【００３８】
ノズル２には、通常、４個以上、好ましくは５〜１３個の孔を設ける多孔方式を採用する。そして、図５（A）〜（D）に示すように、中心に１孔、さらに中心の外方に同心円状に３個以上、好ましくは４〜１２個の孔を配置する。各孔の径は、通常、０．３〜０．５ｍｍφでよく、好ましくは０．３５〜０．４５ｍｍφである。各孔の径は、互いに同一でも相違してもよい。従来の消毒器は、消毒液の噴射後にノズルから液だれするという問題があったが、本考案では、多孔にされた各孔の径が小さいために、液の表面張力で液の落下を有効に防ぐ。
【００３９】
従来のノズルの広がり角度は、上記したとおり、６０度程度であり、薬液が手からはみ出て周囲に飛び散っていた。本考案では、ノズル２の噴霧角度は、１５〜２５度に抑えられる。これにより、薬液を手の中に確実に受けることができ、無駄がなくなる。
【００４０】
薬液ボトル３は、各市販メーカーが流通させている１Ｌ薬液ボトルをそのまま使用する。すなわち、これをカートリッジとして利用する。使用後は、回収してボトルの再利用を図る。市販薬液ボトル３の利用によって、消毒器自体の普及度が増し、容器の再利用も促進される。市販薬液ボトル３を使用するため、製薬会社からの在庫も常に確保できる。薬液補充時に薬液を移し替えることも無いため、消毒器付近のクリーン度も向上する。
【００４１】
市販の１Ｌ薬液ボトル３は、どのメーカーでも対応できるために、市販薬液ボトル３の上部の蓋に替えてソケット４を連結する。この蓋は、原則としてＪＩＳ規格による同一寸法になっているので、薬液メーカーの異なるボトルであっても、ソケット４は同一でよい。薬液ボトル３の上部の蓋を前記ソケットと取り替えて使用することによって、製薬工場で衛生的に処理した衛生的な薬液ボトルを利用可能である。
【００４２】
また、上部からのソケット４の迅速かつ簡単な脱着操作は、塵やバイ菌の入る機会をほとんど無くするよって、従来の下向きと比較してクリーン度が格段に向上する。
【００４３】
ソケット４を介して薬液を送り出す管５は、薬液がスムーズに通過できるように軟質系の材質でできている。例えば、シリコーン、塩化ビニル、ポリエチレン、ポリプロピレンなどが適当である。管５の薬液側下端は、薬液ボトル３の下端付近に達する。
【００４４】
さらに、管５のソケットより外の露出した部分には、錆びず、かつ柔軟性のあるスプリング６を管の周囲に巻く。これによって、管５の屈曲を防ぐ。
【００４５】
図１の薬液ボトル３の仕切壁の横には、ダイフラムポンプポンプ７が、その入口を軟質系管５の出口と連通するように設置されている。ダイヤフラムポンプ７は、薬液を瞬時に出すのに適切なポンプの能力を有するように選択する必要がある。それには、電圧は２４ＤＣＶが好ましく、排出量は３５０〜４５０ｍｌ／ｍｉｎが好ましく、特に好ましくは４００ｍｌ／ｍｉｎ程度であり、最高圧力は３００ｋＰａ以上が好ましい。特に、最高圧力が３００ｋＰａ以上のものであれば、瞬時に薬液を出すに相応しい性能が発揮されることが判明した。
【００４６】
また、ダイヤフラムポンプ７の吸口のレベルが、薬液ボトル３の薬液水面と同等以上にすれば、ボタ落ちがほとんど無いことも判明した。さらに、ノズル２の直上に、逆止弁８を設けている。逆止弁８は、噴射直後の液の吸引現象を確実に防止する。
【００４７】
ダイフラムポンプポンプ７の左側には、手指検出センサー１２が手指の進入を感知してダイヤフラムポンプ７を作動させるための電子回路９が設置されている。この電子回路９により手指検出センサー１２が働き、ノズル２から薬液が噴出する。
【００４８】
図１に示すように、前面開口部の奧に、手の進入を誘導するマーク１０が付けてある。この場所に片手を入れると、手指検出センサー１２が手の進入を感知し、そのセンサー信号を電子回路９が認識して、ダイヤフラムポンプ７を作動させる。そして、ノズル２から噴霧された薬液が手に当たり、薬液が無駄なく消費される。手指検出センサー１２には、特に制限はなく、例えば市販の赤外線センサーを使用可能である。
【００４９】
電子回路９と連動する切替ボタンスイッチ１３（図６）によって、１．５〜２．５ｍｌ／回と２．５〜３．５ｍｌ／回の２種類の噴射をダイヤフラムポンプ７が行う。薬液は片手に受けるのが好ましく、それを直ぐに両手で擦って両手を消毒することができる。
【００５０】
薬液ボトル３の薬液が枯渇するときに、電子回路９のカウントも目標回数（２ｍｌの場合は５００回、３ｍｌの場合は３３３回）に到達し、それを自動的に読み取れることが好ましい。さらに、薬液を交換するときに、電子回路９のカウントが自動的にリセットされることが好ましい。
【００５１】
手指消毒器１の前面には、表示ランプ１４が設置されている。表示ランプ１４は、電子回路９のカウントが目標回数（２ｍｌの場合は５００回、３ｍｌの場合は３３３回）に到達した時点で自動的に電子回路を通じて信号を受け取り、薬液が薬液ボトル３にあるときは青のランプが点灯し、薬液が無くなると赤のランプに変わるように発色を変更する。
【００５２】
図６に示す回路図を用いて前記電子回路９の機能をまとめると、
（１）市販１Ｌ薬液ボトル３が空になると、電子回路９が作動しランプ１４を赤く点灯させ、薬液があるときはランプ１４を青く点灯させ、
（２）切替ボタンスイッチ１３にて１．５〜２．５ｍｌ／回と２．５〜３．５ｍｌ／回の薬液量を調整するようダイヤフラムポンプ７に指令し、
（３）手指検出センサー１２に手を入れると、センサーが感知して、ダイヤフラムポンプ７を稼動させ、薬液ボトル３から薬液を吸い上げて前記管を通してノズル２から薬液を噴霧させる。
【００５３】
図３の左側部に市販の１Ｌ薬液ボトル３が収納されている。薬液ボトル３は、前面扉を鍵で開けた後、引出し式に取り出すことで交換する。具体的には、手指消毒器１の前面の蓋を開け、薬液ボトル３をスライドレールにより引き出し、交換できるようにする。その際、蓋のチューブには柔軟性のあるシリコーンまたはビニルチューブを用いる。それに軟質系のスプリング巻き、折れ曲がらない工夫と出し入れのための長さを確保する。
【００５４】
本考案の手指消毒器１の動作を、以下に説明する。
（１）手指検出センサー１２付近に手指を入れると、該センサーが感知して、手指検出センサー１２からの信号により電子回路９がダイヤフラムポンプ７を稼動させ、薬液ボトルから薬液を吸い上げて、前記管５を通して多孔式ノズル２から噴霧する。
（２）切替ボタンスイッチ１３からの信号を電子回路９が受け取り、電子回路９がダイヤラムポンプ７に１．５〜２．５ｍｌ／回または２．５〜３．５ｍｌ／回の薬液量を調整するよう指令する。
（３）市販１Ｌ薬液ボトル３が空になると、カウントも目標回数に達し、電子回路９がランプ１４を青から赤へ点灯させる。
（４）空の薬液ボトル３は、前面の引き出し１５をスライド式に引き出すことにより、交換する。その際、新規の市販薬液ボトル３の蓋を外し、それに替えてソケット４に挿入するときに電子回路に信号が行き自動的に赤ランプから青ランプに変わり、薬液ボトルの交換が完了する。
【図面の簡単な説明】
【００５５】
【図１】本考案の手指消毒器の内部のレイアウトを透視した斜視図である。
【図２】図１の消毒器の正面図（透視した状態）である。
【図３】図１の消毒器の平面図（透視した状態）である。
【図４】図１の消毒器の側面図（透視した状態）である。
【図５】図１の消毒器に使用するノズルの底面図（左から５孔、９孔、１１孔、および１３孔）である。
【図６】図１の消毒器の回路図である。
【図７】従来の消毒器（特許文献２）の断面図（参照番号の意味は文献のとおり）である。
【符号の説明】
【００５６】
１    壁面埋込型自動式手指消毒器
２    ノズル
３    市販１L容薬液ボトル
４    ソケット
５    軟質系管
６    スプリング
７    ダイヤフラムポンプ
８    逆止弁
９    電子回路
１０  マーク
１１  １００V電源スイッチ
１２  手指検出センサー
１３  切替ボタンスイッチ（２ｍｌ←→３ｍｌ）
１４  液枯渇表示ランプ
１５  引き出し
【図１】
0003140599.tif 000003
【図２】
0003140599.tif 000004
【図３】
0003140599.tif 000005
【図４】
0003140599.tif 000006
【図５】
0003140599.tif 000007
【図６】
0003140599.tif 000008
【図７】
0003140599.tif 000009